(57)【要約】【課題】機器本体に設けられた収納部から取扱説明書等を取り出す際に、収納部が不用意に外れることが無く、また、取扱説明書や収納部の破損を防止できる説明書等の収納構造及びこれを用いた画像形成装置を提供する。【解決手段】説明書等が収納される収納部１１０と、収納部１１０に一体的に設けられて収納部１１０を装置本体に取付けるための取付部１２０と、装置本体の外装カバー１ａに形成されて取付部１２０が係合する係合部１３０とを備え、外装カバー１ａに対して収納部１１０が着脱可能に構成された説明書等の収納構造１００において、収納部１１０は、取付部１２０が係合部１３０に取付けられた状態から、収納部１１０自体が変形することで取付部１２０が係合部１３０から取り外し可能な状態になることを特徴とするものとする。【選択図】図１
2008037045.tif 000002
【特許請求の範囲】
【請求項１】
装置本体に取付けられて説明書等が収納される収納部と、前記収納部に一体的に設けられて該収納部を装置本体に取付けるための取付部と、装置本体側に形成されて前記取付部が係合する係合部とを備え、前記装置本体に対して前記収納部が着脱可能に構成された説明書等の収納構造において、
前記収納部は、前記取付部が前記係合部に取付けられた状態から、該収納部自体が変形することで前記取付部が前記係合部から取り外し可能な状態になることを特徴とする説明書等の収納構造。
【請求項２】
前記取付部が前記係合部に取付けられた状態で、前記収納部の弾性力によって前記取付部が前記係合部との係合状態を維持する方向に付勢されることを特徴とする請求項１に記載の説明書等の収納構造。
【請求項３】
前記収納部は、該収納部に外力が作用したときに、該収納部の幅方向両側部が幅方向で狭くなるように変形することを特徴とする請求項１または２に記載の説明書等の収納構造。
【請求項４】
前記取付部は、前記収納部に複数形成され、
前記係合部は、前記複数の取付部に対応して複数形成され、
前記複数の係合部のうちの一部の係合部は、係合された取付部が前記収納部の幅方向に移動可能に形成されていることを特徴とする請求項１乃至３のうちの何れか一項に記載の説明書等の収納構造。
【請求項５】
前記取付部は、前記収納部の少なくとも上方側と下方側に設けられ、
前記係合部は、前記収納部の少なくとも上方側と下方側に設けられた取付部に対応して設けられ、
前記収納部の上方側に設けられた取付部に対応する係合部は、逆Ｌ字状に開口形成されていることを特徴とする請求項４に記載の説明書等の収納構造。
【請求項６】
前記取付部は、前記係合部に挿入されて装置本体内側に突出して掛け止める保持部と、前記係合部に係止される係止部とを備え、
前記係合部は、前記取付部を装置本体内側に挿入可能な着脱用開口部と、前記係止部が係止される固定用開口部とが連続的に開口形成されていることを特徴とする請求項１乃至５のうちの何れか一項に記載の説明書等の収納構造。
【請求項７】
前記保持部は、前記係止部よりも縦方向に長い断面形状を有し、
前記着脱用開口部は、前記保持部の縦方向の長さよりも長く形成され、
前記固定用開口部は、前記保持部の縦方向の長さよりも短く、且つ前記係止部の縦方向の長さよりも長く形成されていることを特徴とする請求項６に記載の説明書等の収納構造。
【請求項８】
前記収納部は、その内部が収納される説明書等の高さの１／２以上で、且つ、前記説明書等の高さ未満の深さで形成されていることを特徴とする請求項１乃至７のうちの何れか一項に記載の説明書等の収納構造。
【請求項９】
装置本体に取付けられて説明書等が収納される空間が形成される収納部と、前記収納部を装置本体に取付けるための取付部と、装置本体側に形成されて前記取付部が係合する係合部とを備え、前記収納部を装置本体に取付けた状態で上部に前記収納部内に説明書等を出し入れするための開口部が形成され、下部に収納された説明書等を保持するための底部が形成され、前記装置本体に対して前記収納部が着脱可能に構成された説明書等の収納構造を備えた画像形成装置において、
前記説明書等の収納構造として、請求項１乃至８のうちの何れか一項に記載の説明書等の収納構造を用いたことを特徴とする画像形成装置。
【発明の詳細な説明】
【技術分野】
【０００１】
本発明は、説明書等の収納構造及びこれを用いた画像形成装置に係り、特に、複写機、複合機、プリンタ、ファクシミリ等の機器の取扱説明書等を収納する収納構造、及びこの収納構造を備えた画像形成装置に関する。
【背景技術】
【０００２】
従来、複写機、複合機、プリンタ、ファクシミリ等の機器の取扱説明書は、装置本体に設けられた収納部に収納、保管され、必要に応じてユーザーが取り出して使用するようになっている。
【０００３】
取扱説明書等の収納部は、一般にユーザーの作業や操作を妨げないように装置本体の背面や側面に設けられている。
その収納部の構成として、例えば、図１０（ａ）に示すように、収納部３１０の取付側端部にフック部３２０を突出形成し、一方、複写機３００ａの側面に係合部３３０を形成して、その係合部３３０の上方よりフック部３２０を挿入して引っ掛けるようにしたものが提案されている（特許文献１を参照）。
【特許文献１】特開２００４−６１９５７号公報
【発明の開示】
【発明が解決しようとする課題】
【０００４】
しかしながら、上記従来の技術では、図１０（ｂ），（ｃ）に示すように、取扱説明書３００ｐを斜め上方（矢印Ａ方向）に取り出した場合、取扱説明書３００ｐと収納部３１０の開口部３１２との摩擦力などにより、取扱説明書３００ｐを持ち上げる際に収納部３１０も共に取り上げてしまい、収納部３１０が複写機３００ａの係合部３３０より外れて床に落下する場合があった。これにより、収納部３１０が破損することがあるという問題が生じている。
【０００５】
上記問題の対策として、収納部が外れないように複写機側面に固定する手法が考えられるが、最近、取扱説明書の頁数が多く、冊子の厚さが厚くなってきているため、取扱説明書を斜め上方に取り出した際に、取出すときの力が収納部に作用して取扱説明書が収納部により強く擦られて、取扱説明書が損傷することがあるという問題がある。
【０００６】
また、収納部が樹脂製の場合は、取扱説明書を取り出すときの力により収納部が破損することがあるという問題がある。
【０００７】
本発明は、上記従来の問題点を鑑みてなされたものであって、機器本体に設けられた収納部から取扱説明書等を取り出す際に、収納部が不用意に外れることが無く、また、取扱説明書や収納部の破損を防止できる説明書等の収納構造及びこれを用いた画像形成装置を提供することを目的とするものである。
【課題を解決するための手段】
【０００８】
上述した課題を解決するための本発明に係る転写機構の構成は、次の通りである。
請求項１に記載した説明書等の収納構造は、装置本体に取付けられて説明書等が収納される収納部と、前記収納部を装置本体に取付けるための取付部と、装置本体側に形成されて前記取付部が係合する係合部とを備え、前記装置本体に対して前記収納部が着脱可能に構成された説明書等の収納構造において、前記収納部を、前記取付部が前記係合部に取付けられた状態から、該収納部自体が変形することで前記取付部が前記係合部から取り外し可能な状態になるようにしたことを特徴とする。
【０００９】
請求項２に記載した説明書等の収納構造は、請求項１に記載した構成に加えて、前記取付部が前記係合部に取付けられた状態で、前記収納部の弾性力によって前記取付部が前記係合部との係合状態を維持する方向に付勢されることを特徴とするものである。
（複写機の振動や、軽い外力により、収納部材がむやみにはずれない。）
【００１０】
請求項３に記載した説明書等の収納構造は、請求項１または２に記載した構成に加えて、前記収納部を、該収納部に外力が作用したときに、該収納部の幅方向両側部が幅方向で狭くなるように変形するようにしたことを特徴とするものである。
【００１１】
請求項４に記載した説明書等の収納構造は、請求項１乃至３のうちの何れか一項に記載した構成に加えて、前記取付部を前記収納部に複数形成し、前記係合部を前記複数の取付部に対応して複数形成し、前記複数の係合部のうちの一部の係合部を、係合された取付部が前記収納部の幅方向に移動可能に形成したことを特徴とするものである。
【００１２】
請求項５に記載した説明書等の収納構造は、請求項４に記載した構成に加えて、前記取付部を、前記収納部の少なくとも上方側と下方側に設け、前記係合部を、前記収納部の少なくとも上方側と下方側に設けられた取付部に対応して設け、前記収納部の上方側に設けられた取付部に対応する係合部を、逆Ｌ字状に開口形成したことを特徴とするものである。
【００１３】
請求項６に記載した説明書等の収納構造は、請求項１乃至５のうちの何れか一項に記載した構成に加えて、前記取付部の構成として、前記係合部に挿入されて装置本体内側に突出して掛け止める保持部と、前記係合部に係止される係止部とを備え、前記係合部の構成として、前記取付部を装置本体内側に挿入可能な着脱用開口部と、前記係止部が係止される固定用開口部とを連続的に開口形成したことを特徴とするものである。
【００１４】
請求項７に記載した説明書等の収納構造は、請求項６に記載した構成に加えて、前記保持部を前記係止部よりも縦方向に長い断面形状とし、前記着脱用開口部を前記保持部の縦方向の長さよりも長く形成し、前記固定用開口部を前記保持部の縦方向の長さよりも短く、且つ前記係止部の縦方向の長さよりも長く形成したことを特徴とするものである。例えば、保持部の長さをＬ１、係止部の長さをＬ２、着脱用開口部（孔）の長さをＬ３、固定用開口部（孔）の長さをＬ４とした場合、Ｌ３＞Ｌ１＞Ｌ４＞Ｌ２、という関係を満たすようにしたものであっても良い。
【００１５】
請求項８に記載した説明書等の収納構造は、請求項１乃至７のうちの何れか一項に記載した構成に加えて、前記収納部を、その内部が収納される説明書等の高さの１／２以上で、且つ、前記説明書等の高さ未満の深さで形成したことを特徴とするものである。
【００１６】
請求項９に記載した画像形成装置は、装置本体に取付けられて説明書等が収納される空間が形成される収納部と、前記収納部を装置本体に取付けるための取付部と、装置本体側に形成されて前記取付部が係合する係合部とを備え、前記収納部を装置本体に取付けた状態で上部に前記収納部内に説明書等を出し入れするための開口部が形成され、下部に収納された説明書等を保持するための底部が形成され、前記装置本体に対して前記収納部が着脱可能に構成された説明書等の収納構造を備えた画像形成装置において、前記説明書等の収納構造として、請求項１乃至８のうちの何れか一項に記載の説明書等の収納構造を用いたことを特徴とするものである。
【発明の効果】
【００１７】
請求項１に記載した発明によれば、装置本体に取付けられて説明書等が収納される収納部と、前記収納部を装置本体に取付けるための取付部と、装置本体側に形成されて前記取付部が係合する係合部とを備え、前記装置本体に対して前記収納部が着脱可能に構成された説明書等の収納構造において、前記収納部を、前記取付部が前記係合部に取付けられた状態から、該収納部自体が変形することで前記取付部が前記係合部から取り外し可能な状態になるようにしたことで、収納部から取扱説明書等を取り出す際に、該収納部が変形する外力が作用した場合に取付部と係合部の係合状態が解除されるので、通常の取扱操作において収納部が不用意に外れることが無く、取扱説明書や収納部の落下や破損を防止できる説明書等の収納構造を実現できる。
【００１８】
また、請求項２〜８に記載の発明によれば、請求項１に記載の発明で得られる上記共通の効果に加え、次の効果を得ることができる。
【００１９】
すなわち、請求項２に記載した発明によれば、前記取付部が前記係合部に取付けられた状態で、前記収納部の弾性力によって前記取付部が前記係合部との係合状態を維持する方向に付勢されているので、装置の振動や取扱操作等による軽い外力により収納部が不用意に外れることを防止することができる。
【００２０】
請求項３に記載した発明によれば、請求項１または２に記載の発明で得られる効果に加えて、前記収納部を、該収納部に外力が作用したときに、該収納部の幅方向両側部が幅方向で狭くなるように変形するようにしたことで、前記収納部が所定の変形量に到る範囲内で説明書等を保持することができる。
【００２１】
請求項４に記載した発明によれば、請求項１乃至３のうちの何れか一項に記載の発明で得られる効果に加えて、前記取付部を前記収納部に一体的に複数形成し、前記係合部を前記複数の取付部に対応して複数形成し、前記複数の係合部のうちの一部の係合部を、係合された取付部が前記収納部の幅方向に移動可能に形成したことで、収納部を取り外す際に、全ての取付部が同様に外れることがないので、収納部が不用意に外れて落下することを防止することができる。
【００２２】
請求項５に記載した発明によれば、請求項４に記載の発明で得られる効果に加えて、前記取付部を、前記収納部の少なくとも上方側と下方側に設け、前記係合部を、前記収納部の少なくとも上方側と下方側に設けられた取付部に対応して設け、前記収納部の上方側に設けられた取付部に対応する係合部を、逆Ｌ字状に開口形成したことで、上方側の取付部が外れても、下方側の取付部が引っ掛かった状態となるので、収納部が落下することを防止することができる。
【００２３】
請求項６に記載した発明によれば、請求項１乃至５のうちの何れか一項に記載の発明で得られる効果に加えて、前記取付部の構成として、前記係合部に挿入されて装置本体内側に突出して掛け止める保持部と、前記係合部に係止される係止部とを備え、前記係合部の構成として、前記取付部を装置本体内側に挿入可能な着脱用開口部と、前記係止部が係止される固定用開口部とを連続的に開口形成したことで、係合部において、異なる位置で取付部の着脱と固定を行なうことができるので、収納部の着脱を容易に行えるとともに、収納部の固定を確実にすることができる。
【００２４】
請求項７に記載した発明によれば、請求項６に記載の発明で得られる効果に加えて、前記保持部を前記係止部よりも縦方向に長い断面形状とし、前記着脱用開口部を前記保持部の縦方向の長さよりも長く形成し、前記固定用開口部を前記保持部の縦方向の長さよりも短く、且つ前記係止部の縦方向の長さよりも長く形成したことで、取付部の着脱を容易に行えるとともに、収納部に外力が生じて取付部が移動した場合に、速やかに取付部と係合部による係合状態を解除できる。
【００２５】
請求項８に記載した発明によれば、請求項１乃至７のうちの何れか一項に記載の発明で得られる効果に加えて、前記収納部を、その内部が収納される説明書等の高さの１／２以上で、且つ、前記説明書等の高さ未満の深さで形成したことで、説明書等の収納部への収納時に、説明書等が収納部から不用意に落下することを防止し、且つ、説明書等を容易に取り出すことができる。
【００２６】
請求項９に記載した発明によれば、装置本体に取付けられて説明書等が収納される空間が形成される収納部と、前記収納部を装置本体に取付けるための取付部と、装置本体側に形成されて前記取付部が係合する係合部とを備え、前記収納部を装置本体に取付けた状態で上部に前記収納部内に説明書等を出し入れするための開口部が形成され、下部に収納された説明書等を保持するための底部が形成され、前記装置本体に対して前記収納部が着脱可能に構成された説明書等の収納構造を備えた画像形成装置において、前記説明書等の収納構造として、請求項１乃至８のうちの何れか一項に記載の説明書等の収納構造を用いたことで、収納部から取扱説明書等を取り出す際に、該収納部が変形する程の外力が作用した場合に取付部と係合部の係合状態が解除されるので、通常の取扱操作において収納部が不用意に外れることが無く、取扱説明書や収納部の落下や破損を防止できるので、取扱説明書等を使用する際の作業性、操作性を良好にした画像形成装置を実現できる。
【発明を実施するための最良の形態】
【００２７】
（第１実施形態）
以下、本発明の実施の形態について図面を参照して詳細に説明する。
図１〜図５は本発明を実施する形態の一例であって、図１は本発明の第１実施形態に係る説明書等の収納構造の構成を示す斜視図、図２の（ａ）は前記収納構造を構成する収納部の構成を示す分解斜視図、（ｂ）は（ａ）のＡ部の部分詳細図、（ｃ）は（ａ）のＢ部の部分詳細図、図３の（ａ）は前記収納部の取付部と外装カバーの係合部との位置関係を示す側面図、（ｂ）は平面図、図４の（ａ）は前記収納部の取付部が外装カバーの係合部に挿入された状態を示す側面図、（ｂ）は平面図、図５の（ａ）は前記収納部の取付部が外装カバーの係合部に取付けられた状態を示す側面図、（ｂ）は平面図である。
【００２８】
本実施形態に係る説明書等の収納構造１００は、図１，図２（ａ）に示すように、ファックスやコピー機、複合機等の装置本体の外装カバー１ａに取付けられて取扱説明書等が収納される収納部１１０と、収納部１１０を外装カバー１ａに取付けるための取付部１２０と、外装カバー１ａ側に形成されて取付部１２０が係合する係合部１３０とを備え、外装カバー１ａに対して収納部１１０が着脱可能に構成されたものである。
【００２９】
収納部１１０には、図２（ａ）に示すように、複数の取付部１２０が一体的に形成され、収納部１１０が取付けられる外装カバー１ａには、取付部１２０と対応する位置に複数の係合部１３０が形成されている。
【００３０】
収納部１１０は、図１に示すように、合成樹脂等の弾性部材により形成され、コ字状断面を有し、外装カバー１ａに装着された状態で、コ字状凹部と外装カバー１ａとで形成される空間部１１１に取扱説明書等の収納物を収納可能に構成されている。収納部１１０の上部には、収納物を出し入れ可能な開口部１１２が開口形成され、収納部１１０の下部には空間部１１１に収納された収納物１００ｐが落下しないように底部１１３が形成されている。
【００３１】
収納部１１０の空間部１１１は、その内部の高さＨ１が収納される説明書等の主な収納物１００ｐの高さＨ２の１／２以上で、且つ、前記説明書等の収納物１００ｐの高さＨ２未満の深さで形成されている。
【００３２】
また、収納部１１０には、図２（ａ）に示すように、幅方向両側部１１０ａ，１１０ｂの上方側で対向する位置に第１取付部１２１がそれぞれの端部から突出形成され、底部１１３の端縁には、その両端部付近と中央部付近に第２取付部１２２が突出形成されている。
【００３３】
外装カバー１ａには、図２（ａ）〜（ｃ）に示すように、収納部１１０が取付けられる位置で、第１取付部１２１と第２取付部１２２とそれぞれ対応する位置に第１係合部１３１と第２係合部１３２が開口形成されている。
図中の符号１３３は通気用のパンチ孔である。
【００３４】
第１取付部１２１，第２取付部１２２は、略同様の形状で形成され、図３（ａ）に示すように、それぞれ第１係合部１３１，第２係合部１３２に挿入されて外装カバー１ａの裏側に突出して掛け止める保持部１２１ａ，１２２ａと、それぞれ第１係合部１３１，第２係合部１３２に係止される係止部１２１ｂ，１２２ｂとを備えている。
【００３５】
保持部１２１ａ，１２２ａは、係止部１２１ｂ，１２２ｂから延設されて下方に向かい略Ｌ字状に突出形成されている。保持部１２１ａ，１２２ａの長さをＬ１とし係止部１２１ｂ，１２２ｂの長さをＬ２とすると、Ｌ１＞Ｌ２の関係で形成されている。
【００３６】
係合部１３０は、第１係合部１３１と第２係合部１３２とにより構成されている。
第１係合部１３１は、図２（ｂ）及び図３（ａ），（ｂ）に示すように、第１取付部１２１の保持部１２１ａを外装カバー１ａ内側（裏側）に挿入可能な着脱用開口部１３１ａと、第１取付部１２１の係止部１２１ｂが係止される固定用開口部１３１ｂとが連続的に逆Ｌ字状に開口形成されている。
【００３７】
着脱用開口部１３１ａと固定用開口部１３１ｂとは、図２（ｃ），図３（ｂ）に示すように、着脱用開口部１３１ａの長さをＬ３とし固定用開口部１３１ｂの長さをＬ４とすると、Ｌ３＞Ｌ４の関係で形成されている。
【００３８】
第２係合部１３２は、図２（ｂ）に示すように、第１取付部１２１の保持部１２１ａを外装カバー１ａ内側（裏側）に挿入可能で、且つ第１取付部１２１の係止部１２１ｂが係止される取付開口部である。
この第２係合部１３２は、第２取付部１２２よりも幅方向で広く形成され、着脱用開口部１３１ａと同等な長さで形成されている。
【００３９】
次に、本実施形態に係る収納構造１００による作用について図面を参照して説明する。
図６の（ａ）は本実施形態に係る収納構造の収納部が通常の時の状態を示す断面図、（ｂ）は前記収納部に外力が掛った時の変形状態を示す断面図、（ｃ）は（ｂ）のＣ部の部分詳細図である。
【００４０】
収納部１１０は、図６（ａ）に示すように、通常、外装カバー１ａに取付けた状態で、収納部１１０の弾性力によって第１取付部１２１が第１係合部１３１の所定位置で係合状態を維持する方向に付勢するようにされている。
すなわち、収納部１１０は、収納部１１０を外装カバー１ａに取付けた状態で、収納部１１０の幅方向両側部１１０ａ，１１０ｂの第１取付部１２１が第２係合部１３１に対して収納部１１０の幅方向に沿って拡開する方向（矢印Ｙ１，Ｙ２方向）に作用している。
【００４１】
この状態で、収納部１１０の開口部１１２側に外力が加わり、収納部１１０が外装カバー１ａに取付けられた状態から、収納部１１０が厚さ方向に弾性変形すると、第１取付部１２１が第１係合部１３１から取り外し可能な状態になるように構成されている。
【００４２】
すなわち、図６（ｂ）に示すように、収納部１１０が厚さ方向（矢印Ｘ方向）に弾性変形すると、収納部１１０の幅方向両側部が幅方向で狭くなる方向（矢印Ｙ３，Ｙ４方向）に変形する。これにより、収納部１１０の幅方向外側に向かい付勢されている第１取付部１２１，１２１は、図４（ｂ），図６（ｃ）に示すように、収納部１１０の幅方向内側に移動して、係止部１２１ｂ，１２２ｂが第１係合部１３１の固定用開口部１３１ｂ側から着脱用開口部１３１ａ側に移動して係合状態が解除される。
【００４３】
そして、第１取付部１２１の保持部１２１ａ，１２２ａが、第１係合部１３１の着脱用開口部１３１ａから着脱可能な状態となる。この状態で収納部１１０にＸ方向の外力が作用すると第１取付部１２１が第１係合部１３１から外れる。
【００４４】
一方、収納部１１０の底部１１３では、開口部１１２側でＸ方向に作用する外力による影響は少ないため、第２取付部１２２と第２係合部１３２は係合状態が維持された状態となっている。
【００４５】
従って、収納部１１０は、開口部１１２側が第１取付部１２１と第１係合部１３１との係合状態が解除されても、底部１１３側の第２取付部１２２と第２係合部１３２との係合状態が維持されているため、収納部１１０の上下方向の係合状態が同時に解除されずに上部が外れても下部が引っ掛かった状態となり、不用意に収納部１１０が落下することを防止することができる。
【００４６】
ここで、収納部１１０の外力の変形により生じるたわみ量の一実施例を以下に示す。
実施例として、図６（ｂ），（ｃ）に示すように、収納部１１０のＸ方向のたわみ量をΔｄｘ、Ｙ方向のたわみ量をΔｄｙとすると、Ｘ方向のたわみ量Δｄｘが１０ｍｍを超えた場合、または、Ｙ方向のたわみ量Δｄｙが２．５ｍｍを超えたときに、第１取付部１２１と第２係合部１３２との係合状態が解除するように構成したものであっても良い。
【００４７】
尚、Ｘ方向のたわみ量Δｄｘ、Ｙ方向のたわみ量Δｄｙは、本実施例に限定されるものではなく、収納物１００ｐの厚さや重さ、収納部１１０の大きさ等によって適宜決定されるものであって、本発明の構成に基づき様々に展開が可能である。
【００４８】
以上のように構成したので、本実施形態によれば、収納部１１０に収納された収納物１００ｐを取り出す際に、収納部１１０が変形する程の外力が作用した場合に、収納部１１０が変形することで、第１取付部１２１と第１係合部１３１との係合状態が解除されるので、通常の取扱操作において収納部１１０が不用意に外れることが無く、取扱説明書や収納部の落下や破損を防止することができる。
【００４９】
（第２実施形態）
次に、本発明に係る収納構造１００が搭載された画像形成装置について図面を参照して詳細に説明する。
図７は本発明の第２実施形態に係る説明書等の収納構造が採用された複写機の全体の構成を示す説明図、図８は前記複写機に設けられた説明書等の収納構造の構成を示す説明図であって、（ａ）は前記収納構造の構成を示す正面図、（ｂ）は（ａ）のＤ矢視図、（ｃ）は（ａ）のＥ矢視図、図９は前記収納構造の構成を示す側面図である。
【００５０】
本実施形態は、電子写真方式を用いて、印字要求に応じて現像剤によって形成した現像剤像を記録用紙に転写し、その記録用紙上に転写されたトナー像を記録用紙に定着させて画像出力を行う複写機１であって、その装置本体の外装カバー２０１ａに本発明に係るに説明書等の収納構造２００を構成したものである。
【００５１】
まず、画像形成装置たる複写機１の全体構成について説明する。
本実施形態に係る複写機１は、図７に示すように、大略的に画像形成部１０８と給紙部１０９とにより構成され、外部に接続されたパーソナルコンピュータ等の情報処理装置（図示省略）からの印刷ジョブに基づいて画像情報を記録用紙上に形成するものである。
【００５２】
画像形成部１０８の上方には、画像読取り装置（スキャナー）１０７が配置されている。この画像読取り装置１０７の前側上部には、操作パネル１０６が設けられ、ここで印字要求や記録媒体（用紙）の種類等の運転条件の設定を行なうようになっている。
【００５３】
また、画像形成部１０８の下側には、複数種類の用紙に対応した第１給紙カセット１４２ａ，第２給紙カセット１４２ｂ，第３給紙カセット１４２ｃ，第４給紙カセット１４２ｄを備えた給紙部１０９を配置して、多種、大量印刷を自動で行うようにしたものである。
【００５４】
第１給紙カセット１４２ａ，第２給紙カセット１４２ｂ，第３給紙カセット１４２ｃ，第４給紙カセット１４２ｄは、複写機１の操作パネル１０６が設けられた正面（操作側）で、用紙の補給操作を行なうようになっている。
【００５５】
次に、本実施形態に係る説明書等の収納構造２００について、図面を参照して詳細に説明する。
【００５６】
本実施形態に係る説明書等の収納構造２００は、図７，図８（ａ）に示すように、複写機１の操作パネル１０６に向かい側面の外装カバー２０１ａに収納部２１０を備え、装置本体の側面から説明書等の収納物２００ｐを出し入れするようにしたものである。
【００５７】
収納部２１０は、合成樹脂等の弾性部材により形成され、コ字状断面を有し、外装カバー１ａに装着された状態で、コ字状凹部と外装カバー２０１ａとで形成される空間部２１１に取扱説明書等の収納物を収納可能に構成されている。
【００５８】
収納部２１０の上部には、図８（ｂ）に示すように、収納物２００ｐを出し入れ可能な開口部２１２が開口形成されている。
収納部２１０の下部には、図８（ｃ）に示すように、空間部２１１に収納された収納物が落下しないように底部２１３が形成されている。
図中の符号２２２は、第２取付部である。
【００５９】
以下、本実施形態に係る説明書等の収納構造２００の構成は、前述した第１実施形態に係る明書等の収納構造１００と同様に構成されている。従って、上述した実施形態に係る明書等の収納構造１００と同様な構成を有するものは同一の符号を付することで説明を省略する。
【００６０】
以上のように構成したので、本実施形態によれば、複写機１の側面の外装カバー２０１ａに説明書等の収納構造２００を構成したので、用紙の給紙作業を妨げることなく、空いた側面のスペースを有効利用して説明書等を収納することができる。しかも、収納部２１０に収納された収納物２００ｐを取り出す際に、収納部２１０が変形する程の外力が作用した場合に、収納部２１０が変形することで、第１実施形態と同様に、第１取付部２２１と第１係合部（図示省略）との係合状態が解除されるので、通常の取扱操作において収納部２１０が不用意に外れることが無く、取扱説明書や収納部の落下や破損を防止することができるので、取扱説明書等を使用する際の作業性、操作性を良好にした画像形成装置を実現できる。
【００６１】
尚、本発明は、上述した実施形態や実施例に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【００６２】
また、本発明は、収納構造を備える機器あれば、上述したような構成の画像形成装置や複写機に限定されるものではなく、その他の機器等に展開が可能である。
【図面の簡単な説明】
【００６３】
【図１】本発明の第１実施形態に係る説明書等の収納構造の構成を示す斜視図である。
【図２】（ａ）は前記収納構造を構成する収納部の構成を示す分解斜視図、（ｂ）は（ａ）のＡ部の部分詳細図、（ｃ）は（ａ）のＢ部の部分詳細図である。
【図３】（ａ）は前記収納部の取付部と外装カバーの係合部との位置関係を示す側面図、（ｂ）は平面図である。
【図４】（ａ）は前記収納部の取付部が外装カバーの係合部に挿入された状態を示す側面図、（ｂ）は平面図である。
【図５】（ａ）は前記収納部の取付部が外装カバーの係合部に取付けられた状態を示す側面図、（ｂ）は平面図である。
【図６】（ａ）は本実施形態に係る収納構造の収納部が通常の時の状態を示す断面図、（ｂ）は前記収納部に外力が掛った時の変形状態を示す断面図、（ｃ）は（ｂ）のＣ部の部分詳細図である。
【図７】本発明の第２実施形態に係る説明書等の収納構造が採用された複写機の全体の構成を示す説明図である。
【図８】前記複写機に設けられた説明書等の収納構造の構成を示す説明図であって、（ａ）は前記収納構造の構成を示す正面図、（ｂ）は（ａ）のＤ矢視図、（ｃ）は（ａ）のＥ矢視図である。
【図９】前記収納構造の構成を示す側面図である。
【図１０】（ａ）前記収納部が正常に取付けられた状態を示す詳細断面図、（ｂ）は前記収納部の固定状態が解除された状態を示す詳細断面図、（ｃ）は前記収納部が取り外し可能な状態を示す詳細断面図である。
【符号の説明】
【００６４】
１  複写機（画像形成装置）
１ａ  外装カバー
１００，２００  収納構造（説明書等の収納構造）
１００ｐ，２００ｐ  収納物
１０６  操作パネル
１０７  画像読取り装置
１０８  画像形成部
１０９  給紙部
１１０，２１０  収納部
１１０ａ，１１０ｂ  幅方向両側部
１１１，２１１  空間部
１１２，２１２  開口部
１１３，２１３  底部
１２０  取付部
１２１，２２１  第１取付部（取付部）
１２１ａ，１２２ａ  保持部
１２１ｂ，１２２ｂ  係止部
１２２，２２２  第２取付部（取付部）
１３０  係合部
１３１  第１係合部（係合部）
１３１ａ  着脱用開口部
１３１ｂ  固定用開口部
１３２  第２係合部（係合部）
１４２ａ  第１給紙カセット
１４２ｂ  第２給紙カセット
１４２ｃ  第３給紙カセット
１４２ｄ  第４給紙カセット
Δｄｘ  Ｘ方向のたわみ量
Δｄｙ  Ｙ方向のたわみ量
【図１】
2008037045.tif 000003
【図２】
2008037045.tif 000004
【図３】
2008037045.tif 000005
【図４】
2008037045.tif 000006
【図５】
2008037045.tif 000007
【図６】
2008037045.tif 000008
【図７】
2008037045.tif 000009
【図８】
2008037045.tif 000010
【図９】
2008037045.tif 000011
【図１０】
2008037045.tif 000012